(57)【要約】【課題】バンク型バルブにバルブセクションを増設するためには、一旦、全てのバルブセクションを分解するので、増設作業に多くの時間と労力を要する。【解決手段】エンドセクション１０とポンプセクション４とにバンク型バルブ１を機械１９に取付けるための取付部２０，２１を設け、ポンプセクション４のポンプポート２に連通して、ポンプセクション４の片面に設けるバルブセクション５〜９と他面に設けるバルブセクションとに圧油を供給するポンプ通路１４，１６を設け、さらに、このバルブセクション５〜９と他面に設けるバルブセクションから排出される油をタンクに排出するための通路１５，１７を設け、ポンプセクション４の他面のポンプ通路１６及びタンク通路１７とを塞ぐカバー部材１１を設けて、バルブセクション５〜９を分解することなく他面側に新たなバルブセクション２４を増設することができるようにする。【選択図】        図１
2004251365.tif 000002
【特許請求の範囲】
【請求項１】
ポンプからの圧油を供給するポンプポートを備えたポンプセクションと、該ポンプセクションの片面に設ける複数個のバルブセクションと、該バルブセクションを前記ポンプセクションに固定するエンドセクションとを設け、該エンドセクションと前記ポンプセクションとに、機械に取付けるための取付部を設けたバンク型バルブにおいて、前記ポンプセクションに、そのポンプポートに連通して該ポンプセクションの片面に設ける前記バルブセクションに圧油を供給するポンプ通路と、前記バルブセクションからタンクへ油を排出するタンク通路とを設け、さらに、前記ポンプセクションに、前記ポンプポートに連通して該ポンプセクションの他面に増設するバルブセクションへ圧油を供給するポンプ通路と、該他面に増設するバルブセクションからタンクへ油を排出するタンク通路とを設け、該ポンプセクションの他面に該ポンプ通路と該タンク通路とを塞ぐカバー部材を設けたバンク型バルブ。
【請求項２】
請求項１記載のバンク型バルブにおいて、前記ポンプセクションに前記バルブセクションへ圧油を供給するポンプポートを設け、前記エンドセクションに前記バルブセクションから油を排出するタンクポートを設けたバンク型バルブ。
【発明の詳細な説明】
【０００１】
【発明の属する技術分野】
本願発明は、例えば、油圧ショベルや油圧クレーン等の建設機械の油圧制御システムに用いられるバンク型バルブに関し、詳しくは、容易にバルブセクションを増設することができるバンク型バルブに関するものである。
【０００２】
【従来の技術】
従来より、油圧ショベルや油圧クレーン等の建設機械における油圧制御システムには、多連型のバンク型バルブが採用されている。このバンク型バルブは、１つの給油ポンプから吐出される加圧された圧油を複数の油圧制御装置に供給し、各油圧制御装置に接続されているそれぞれのアクチュエータを駆動するものである。
【０００３】
図３は、従来のバンク型バルブの一例を示す模式図である。図示するように、ブロック状のポンプセクション５１の片面に複数のバルブセクション５２〜５５が連設され、バルブセクション５５の開放面側に設けられたエンドセクション５６を固定ボルト５７でポンプセクション５１に固定することによって、これらが一体的に連結されたバンク型バルブ５８を形成している。前記ポンプセクション５１には、ポンプ（図示略）と接続されたポンプポート５９と、タンク（図示略）と接続されたタンクポート６０とが設けられている。このポンプポート５９はポンプ通路６１を介して各バルブセクション５２〜５５と接続され、タンクポート６０は、タンク通路６２を介して各バルブセクション５２〜５５と接続されている。
【０００４】
そして、このように一体的に結合されたバンク型バルブ５８がポンプセクション５１とエンドセクション５６とに設けられた取付部６３，６４の寸法Ｗ１によって、機械６５（建設機械の車体等）の取付ブラケット６６に固定されている。
【０００５】
例えば、この種の従来技術として、バックホウの油圧装置として、インレット用ブロックを挟んで複数の制御バルブが設けられたものがある（例えば、特許文献１参照。）。
【０００６】
また、他の従来技術として、単一のポンプから吐出した高圧の圧油を高圧側回路と低圧側回路とに分配する優先弁を有する優先弁ブロックを設けた操作弁ブロック集合体がある。この操作弁ブロック集合体では、優先弁ブロックを挟んで高圧側回路と低圧側回路とが設けられている（例えば、特許文献２参照。）。
【０００７】
これら特許文献１，２に記載のバルブの場合も、特許文献２の図６に記載するように、複数のバルブセクションを積層した状態で固定ボルトによって連結している。
【０００８】
【特許文献１】
特開２００１−３５５６１２号公報（第９頁、図３）
【特許文献２】
特開２０００−２３０５０１号公報（第１２頁、図６）
【０００９】
【発明が解決しようとする課題】
ところで、前記したようなバンク型バルブ５８が採用される油圧ショベルや油圧クレーン等の建設機械における油圧制御システムの場合、作業に応じてオプション機器の増設を行う場合がある。この場合、当初の油圧制御システムにおけるバルブセクション５２〜５５に新たなオプション機器用のバルブセクションを追加する必要が生じる。
【００１０】
しかしながら、前記したように複数のバルブセクションを固定した後に、図４に示す図３のバンク型バルブにバルブセクションを増設した状態の模式図のように、バルブセクションを増設するためには、一旦、前記固定ボルト５７を外して全てのバルブセクション５２〜５５をポンプセクション５１から分解し、新たなバルブセクション６７をこのポンプセクション５１とバルブセクション５２との間に挿入して長い固定ボルト６８で一体的に組立てることになる。そのため、バルブセクション６７の増設作業時には、各バルブセクション５２〜５５の接合調整やシール確認等を行いながら組立てることとなり、多くの時間と労力を要してしまう。
【００１１】
しかも、このように増設した場合、ポンプセクション５１とエンドセクション５６との間隔が広がるため、バンク型バルブ５８を機械６５に取付けるための取付部６３，６４の寸法Ｗ１がＷ２になってしまい、機械６５に取付けるための治具を新たに準備したり、予め機械６５に増設時の取付ブラケット６９を準備する必要があり、バンク型バルブ５８を設けるための設計や製作に時間と労力を要してしまう。
【００１２】
【課題を解決するための手段】
そこで、前記課題を解決するために、本願発明は、ポンプからの圧油を供給するポンプポートを備えたポンプセクションと、該ポンプセクションの片面に設ける複数個のバルブセクションと、該バルブセクションを前記ポンプセクションに固定するエンドセクションとを設け、該エンドセクションと前記ポンプセクションとに、機械に取付けるための取付部を設けたバンク型バルブにおいて、前記ポンプセクションに、そのポンプポートに連通して該ポンプセクションの片面に設ける前記バルブセクションに圧油を供給するポンプ通路と、前記バルブセクションからタンクへ油を排出するタンク通路とを設け、さらに、前記ポンプセクションに、前記ポンプポートに連通して該ポンプセクションの他面に増設するバルブセクションへ圧油を供給するポンプ通路と、該他面に増設するバルブセクションからタンクへ油を排出するタンク通路とを設け、該ポンプセクションの他面に該ポンプ通路と該タンク通路とを塞ぐカバー部材を設けている。このようにポンプセクションの両面に向けてバルブセクションに圧油を供給するポンプ通路と油を排出するタンク通路とを設けることにより、片面に設けた複数のバルブセクションを分解することなく他面に新たなバルブセクションを増設することができるので、ポンプセクションに設けられた油圧配管等も取外すことなくバルブセクションの増設作業を容易に行うことができ、作業時間の短縮や労力の軽減が可能となる。しかも、新たなバルブセクションを増設しても機械への取付寸法は同一であるため、機械側への追加の加工が不要で、この点でも容易なバルブセクション増設作業が可能になる。
【００１３】
また、前記バンク型バルブにおいて、前記ポンプセクションに前記バルブセクションへ圧油を供給するポンプポートを設け、前記エンドセクションに前記バルブセクションから油を排出するタンクポートを設けても、ポンプセクションとエンドセクションとを取外すことなくバルブセクションの増設ができるので、ポンプセクションとエンドセクションとに設けられた油圧配管等を取外すことなくバルブセクションの増設が容易にできる。
【００１４】
【発明の実施の形態】
以下、本願発明の一実施形態を図面に基づいて説明する。図１は本願発明の一実施形態を示すバンク型バルブの模式図であり、図２は同バンク型バルブにバルブセクションを増設した状態の模式図である。
【００１５】
図示するように、この実施形態のバンク型バルブ１には、図示しないポンプからの圧油をバルブセクションに供給するポンプポート２と図示しないタンクへ油を排出するタンクポート３とを備えたポンプセクション４と、このポンプセクション４の片面に連設する複数のバルブセクション５〜９と、バルブセクション９の端面を塞ぐエンドセクション１０と、前記ポンプセクション４の反バルブセクション側である他面を塞ぐカバー部材１１とが設けられている。
【００１６】
前記複数のバルブセクション５〜９には、連設方向に貫通孔１２が設けられており、エンドセクション１０側から前記ポンプセクション４に設けられたネジ部に固定ボルト１３を螺合することによって、エンドセクション１０とこれらバルブセクション５〜９とがポンプセクション４と一体的に連結されている。この実施形態では固定部材として固定ボルト１３が用いられているが、他の構成であってもよい。また、前記カバー部材１１は、固定ボルト１８によってポンプセクション４の他面に固定されている。
【００１７】
さらに、前記ポンプセクション４には、ポンプからの圧油を前記ポンプポート２からバルブセクション５〜９に供給するためのポンプ通路１４と、バルブセクション５〜９からの油を前記タンクポート３に排出するタンク通路１５とが設けられている。これらの通路１４，１５は、後述するポンプセクション４の他面（図の上側）に設けるバルブセクションに圧油を供給するポンプ通路１６と、このバルブセクションからの油を排出するタンク通路１７と連通するように設けられている。ポンプ通路１４とポンプ通路１６とが連通し、タンク通路１５とタンク通路１７とが連通している。つまり、ポンプセクション４の両面に、圧油を供給するポンプ通路１４，１６と油を排出するタンク通路１５，１７とが開口するように設けられている。これらポンプ通路１６とタンク通路１７とは、前記ポンプセクション４の他面に設けられたカバー部材１１により塞がれている。
【００１８】
そして、前記ポンプセクション４と前記エンドセクション１０とに、組立てられた状態のバンク型バルブ１を機械１９に取付けるための取付部２０，２１が設けられている。この実施形態では、両セクション４，１０から突出するような取付部２０，２１を設けている。この取付部２０，２１は各セクション４，１０の一部を凹状にして形成したものであってもよく、形態は他の形態であってもよい。
【００１９】
これらの取付部２０，２１は、機械１９に設けられた取付ブラケット２２，２３にボルト等（図示略）で固定され、これによりバンク型バルブ１の機械への取付けが成される。これら取付ブラケット２２，２３の位置は、予め、設計仕様等によって決められるバルブセクションの数（この実施形態では５〜９の５連）によって決まるポンプセクション４とエンドセクション１０とに設けられた取付部２０，２１間の寸法Ｗにより決まる。
【００２０】
以上のように構成されたバンク型バルブ１によれば、以下のような使用が可能となる。先ず、当初の設計仕様によって使用する場合、前記図１に示すように、ポンプセクション４の片面にはバルブセクション５〜９を一体的に連結し、他面はカバー部材１１によって塞いだ状態として機械１９に取付ける。
【００２１】
そして、新たにバルブセクションを増設する場合には、図２に示すように、ポンプセクション４のバルブセクションが設けられていない面（上側）のカバー部材１１を取外し、このカバー部材１１とポンプセクション４との間に新たなバルブセクション２４を増設し、固定ボルト１８を長い固定ボルト２５に交換してカバー部材１１側からポンプセクション４に螺合するすることにより、ポンプセクション４のカバー部材１１側に新たなバルブセクション２４を増設することが容易にできる。
これにより、簡単な作業でバルブセクション２４を増設することができ、作業時間の短縮や労力の軽減が可能となる。
【００２２】
しかも、バンク型バルブ１を機械に固定している取付部２０，２１が設けられたポンプセクション４とエンドセクション１０とを分解することなく増設作業を行うことができるので、バンク型バルブ１を機械１９に固定した状態でカバー部材１１を外してバルブセクション２４を増設することも可能であり、現場での増設作業もできるので、様々なバルブセクションの増設に対応することが可能となる。
【００２３】
この場合、バルブセクション増設のために機械側への追加の加工が不要であるため、機械の共通設計や共通部品化も可能となり、設計効率の効率化や組立作業の効率化等を図ることができる。
【００２４】
さらに、前記ポンプセクション４に設けるポンプ通路１４，１６とタンク通路１５，１７とを、両面で対称となる位置に設ければ、全く同一のバルブセクションをポンプセクション４の反対面に増設することにより、増設したバルブセクション２４へも同一流量の圧油を供給することができるので、増設機器の制御も容易に可能となる。
【００２５】
また、上述した実施形態では、ポンプセクション４にポンプポート２とタンクポート３とを設けているが、このポンプセクション４も前記エンドセクション１０も取外すことなくバルブセクション２４の増設が可能であるため、エンドセクション１０にタンクポート３が設けられた構成であっても、同様の作用効果を奏することができる。
【００２６】
なお、前記実施の形態では、５連のバンク型バルブを例に説明したが、バンク型バルブであれば他の連数のバンク型バルブであってもよく、連数は限定されるものではない。
【００２７】
さらに、上述した実施形態は一実施形態であり、本願発明の要旨を損なわない範囲での種々の変更は可能であり、本願発明は上述した実施形態に限定されるものではない。
【００２８】
【発明の効果】
本願発明は、以上説明したような形態で実施され、以下に記載するような効果を奏する。
【００２９】
大型の加工設備を必要としないバンク型バルブにおいて、ポンプセクションの片面に設けた複数のバルブセクションを分解することなく他面に新たなバルブセクションを増設することができ、しかも、新たなバルブセクションを増設しても機械への取付寸法が変わらないため、機械側への追加の加工が不要で、容易なバルブセクション増設作業が可能になる。
【図面の簡単な説明】
【図１】本願発明の一実施形態を示すバンク型バルブの模式図である。
【図２】図１のバンク型バルブにバルブセクションを増設した状態の模式図である。
【図３】従来のバンク型バルブの一例を示す模式図である。
【図４】図３のバンク型バルブにバルブセクションを増設した状態の模式図である。
【符号の説明】
１…バンク型バルブ
２…ポンプポート
３…タンクポート
４…ポンプセクション
５〜９…バルブセクション
１０…エンドセクション
１１…カバー部材
１２…取付孔
１３…固定ボルト
１４，１６…ポンプ通路
１５，１７…タンク通路
１８…固定ボルト
１９…機械
２０，２１…取付部
２２，２３…取付ブラケット
２４…バルブセクション
２５…固定ボルト
【図１】
2004251365.tif 000003
【図２】
2004251365.tif 000004
【図３】
2004251365.tif 000005
【図４】
2004251365.tif 000006